(57)【要約】【課題】コンクリート打設面を精度よく仕上げること。【解決手段】一対の細長い天端指示部材を互いに平行に地盤に沿って横たえると共に、各天端指示部材の地盤からの高さを所望のコンクリート仕上げ面に対応する高さに設定し、前記一対の天端指示部材間の地盤上に生コンクリートを供給し、前記一対の天端指示部材の一方から他方に細長い均し部材を渡し、渡した均し部材を天端指示部材の長手方向に天端指示部材上で摺動させて前記生コンクリートを均す、工程からなるコンクリート打設面の仕上げ方法。【選択図】図９
2016132919.tif 000002
【特許請求の範囲】
【請求項１】
一対の細長い天端指示部材を互いに平行に地盤に沿って横たえると共に、各天端指示部材の地盤からの高さを所望のコンクリート仕上げ面に対応する高さに設定し、前記一対の天端指示部材間の地盤上に生コンクリートを供給し、前記一対の天端指示部材の一方から他方に細長い均し部材を渡し、渡した均し部材を天端指示部材の長手方向に天端指示部材上で摺動させて前記生コンクリートを均す、工程からなるコンクリート打設面の仕上げ方法。
【請求項２】
前記所望のコンクリート仕上げ面が水平面に対して傾斜した面である請求項１記載の方法。
【請求項３】
請求項１の前記天端指示部材の高さを設定する工程に用いる天端設定装置であって、前記天端指示部材を保持する保持部材と、前記保持部材と結合し前記保持部材の地盤からの高さを調整する調整部材と、前記調整部材を地盤に固定する固定部材とを備える天端設定装置。
【請求項４】
前記調整部材が、雌ネジ部と、雌ネジ部に螺合する雄ネジ部とを備え、それによって前記高さを調整する請求項３記載の天端設定装置。
【請求項５】
前記固定部材は、地盤に打ち込まれる杭からなる請求項３又は４記載の天端設定装置。
【請求項６】
前記固定部材は、地盤にモルタルで固定される部材からなる請求項３又は４記載の天端設定装置。
【発明の詳細な説明】
【技術分野】
【０００１】
この発明は、コンクリート打設面の仕上げ方法とそれに用いる天端設定装置に関する。
【背景技術】
【０００２】
建築物の床面基礎工事は、基礎構造物の型枠を組むか、もしくは構造物の内面基礎の内部に砕石を敷き、鉄筋を組んだ上にコンクリートを打設することで、施工されている。そして、このコンクリートの打設時には、予め天端を指示する天端指示具を使用し、その指示レベルまでコンクリートを打設することで、打設面の仕上げを行うようにしている。
【０００３】
このような工事に用いられる天端指示具としては、天端レベルを示す棒材と、その棒材を上下方向移動可能に鉄筋に固定する固定部材とを備えた天端出し補助具が知られている（例えば、特許文献１参照）。
【先行技術文献】
【特許文献】
【０００４】
【特許文献１】特許第５２７１８７８公報
【発明の概要】
【発明が解決しようとする課題】
【０００５】
従来のこのような天端出し補助具を用いたコンクリート打設工事では、天端レベルを示す棒材の先端、つまり点を目印としてコンクリート打設面を仕上げるので、その打設面を均一に精度よく仕上げるためには、天端レベルを示す数多くの棒材を高密度でコンクリートの打設領域に配置する必要がある。
【０００６】
しかしながら、天端レベルを示す棒材を高密度で配置すると、コンクリートの打設作業者や生コンクリート供給ホースなどがその棒材に接触して、設定された天端レベルがずれたり、衝撃で天端出し補助具自体が破損するという問題があった。
【０００７】
この発明は、このような事情を考慮してなされたもので、天端の指示方法を、従来の棒材の先端（点）を用いる方法から棒材の本体（線）を用いる方法に変換することにより、上記課題を解決したコンクリート打設面の仕上げ方法とそれに用いる天端設定装置を提供するものである。
【課題を解決するための手段】
【０００８】
この発明は、一対の細長い天端指示部材を互いに平行に地盤に沿って横たえると共に、各天端指示部材の地盤からの高さを所望のコンクリート仕上げ面に対応する高さに設定し、前記一対の天端指示部材間の地盤上に生コンクリートを供給し、前記一対の天端指示部材の一方から他方に細長い均し部材を渡し、渡した均し部材を天端指示部材の長手方向に天端指示部材上で摺動させて前記生コンクリートを均す、工程からなるコンクリート打設面の仕上げ方法を提供するものである。
【発明の効果】
【０００９】
一対の細長い天端指示部材の高さをコンクリート仕上げ面の高さに設定し、一対の天端指示部材間に供給された生コンクリートを天端指示部材間に渡した均し部材で均すので、天端指示部材の長さおよび天端指示部材間の距離を従来の天端レベルを示す棒材の間隔より十分に大きくしても、コンクリートの打設面を精度よく仕上げることができる。
【図面の簡単な説明】
【００１０】
【図１】この発明に係る天端設定装置の上面図である。
【図２】図１のＡ−Ａ矢視断面図である。
【図３】この発明に係る天端指示装置の正面図である。
【図４】この発明に係る天端設定装置の配置説明図である。
【図５】この発明に係る天端設定装置の操作説明図である。
【図６】この発明に係る天端指示部材の設置状態を示す正面図である。
【図７】この発明に係る天端指示部材の設置状態を示す上面図である。
【図８】この発明に係るコンクリート打設工程説明図である。
【図９】この発明に係るコンクリート打設工程説明図である。
【図１０】この発明に係るコンクリート打設工程説明図である。
【発明を実施するための形態】
【００１１】
この発明のコンクリート打設面の仕上げ方法は、一対の細長い天端指示部材を互いに平行に地盤に沿って横たえると共に、各天端指示部材の地盤からの高さを所望のコンクリート仕上げ面に対応する高さに設定し、前記一対の天端指示部材間の地盤上に生コンクリートを供給し、前記一対の天端指示部材の一方から他方に細長い均し部材を渡し、渡した均し部材を天端指示部材の長手方向に天端指示部材上で摺動させて前記生コンクリートを均す、工程からなることを特徴とする。
【００１２】
前記所望のコンクリート仕上げ面は、水平面であってもよいし、水平に対して傾斜してもよい。
【００１３】
この発明は、別の観点から前記天端指示部材の高さを設定する工程に用いる天端設定装置であって、前記天端指示部材を保持する保持部材と、前記保持部材と結合し前記保持部材の地盤からの高さを調整する調整部材と、前記調整部材を地盤に固定する固定部材とを備える天端設定装置を提供するものである。
【００１４】
前記調整部材が、雌ネジ部と、雌ネジ部に螺合する雄ネジ部とを備え、それによって前記高さを調整してもよい。
【００１５】
前記固定部材は、地盤に打ち込まれる杭からなってもよいし、地盤にモルタルで固定される部材からなってもよい。
【００１６】
［実施形態］
以下、図面に示す実施形態を用いてこの発明を詳述する。これによってこの発明が限定されるものではない。
図１はこの発明の実施形態の天端設定装置の上面図、図２は図１のＡ−Ａ矢視断面図、図３はこの実施形態の天端指示部材の正面図である。
【００１７】
図１と図２に示すように、天端設定装置１は、図３に示す天端指示部材７を保持するための保持部材２と、保持部材２の地盤９からの高さを調整する調整部材３と、調整部材３を地盤９に固定する固定部材としての角杭６を備える。
【００１８】
調整部材３は円筒部材４と支持台５を備える。円筒部材４は上端に形成されたフランジ４ｂと、外周に形成された雄ネジ部４ａと、フランジ４ｂの下方に形成されたネジ穴に螺合する抜け止めビス２ｄを備える。
【００１９】
支持台５は円錐台形の形状を有し、軸心に形成された穴５ａと、穴５ａの内周面に形成された雌ネジ部５ｂを備える。支持台５の下面と角杭６の上端とは、角杭６の上端から先端に向って軸心に形成されたネジ穴６ａに固定ボルト６ｂとワッシャ６ｃを用いて固定されるようになっている。円筒部材４と支持台５とは、雄ネジ部４ａが雌ネジ部５ｂに螺合することによって互いに結合されている。
【００２０】
保持部材２は、上部が台形の円柱、下部が小径の円柱からなり、互いに同軸である。小径の円柱部分が円筒部材４の上端から挿入され、大径の円柱部分は円筒部材４のフランジ４ｂの上面で軸中心に回転可能に支持される。
【００２１】
保持部材２には、上面に天端指示部材７（図３）の端部を保持する保持溝２ａが形成されている。そして、保持溝２ａに直交する方向に形成された２つの平行なネジ穴２ｅに、それぞれ固定ビス２ｂが螺着されている。
【００２２】
この固定ビス２ｂは、後述するように、天端指示部材７（図３）の端部が保持溝２ａに挿入されたときに天端指示部材７を保持溝２ａ固定するために用いられる。
また、保部材２ａの小径円柱にはその外周面に円周溝２ｃが形成され、この円周溝２ｃに前述の抜け止めビス２ｄが挿入されることにより、保持部材２が円筒部材４から抜け出ることが防止される。
【００２３】
このような機構によって、作業者は保持部材２を回転しないように維持した状態で、フランジ４ｂを軸中心に回転させると、雄ネジ部４ａと雌ネジ部５ｂの螺合作用により、保持部材２を支持台５に対して上下方向に移動させることができる。つまり、保持部材２の高さを調整することができる。
【００２４】
そして、図１および図２に示す天端設定装置１の地盤９への設置は、次のような手順で行われる。
先ず、角杭６を地盤９に打込む。
次に、支持台５を角杭６の上端に設置して、固定ボルト６ｂとワッシャ６ｃを用いて両者を結合する。
次に、予め保持部材２が上端に挿入され抜け止めビス２ｄで抜け止めされた円筒部材４の雄ネジ部４ａを支持台５の雌ネジ部５ｂに螺合させる。
【００２５】
図３に示す天端指示部材７は、長さＬ＝１８００ｍｍ、幅Ｗ＝２５ｍｍ、厚さ４ｍｍの帯状の板であり、両端に厚さ方向に貫通する長孔７ａと、２つの長孔７ａの間に厚さ方向に貫通する直径１２．５ｍｍの複数の丸孔を有する。
【００２６】
なお、この実施形態では、保持部材２と円筒部材４はＡＢＳ樹脂を用いて、支持台５はＰＯＭ樹脂を用いて、角杭６はＰＳ樹脂を用いて、それぞれ型を用いて成形される。また、天端指示部材７は炭素鋼（ＳＳ４１）を板金加工することにより製作される。
【００２７】
このような構成の天端設定装置１と天端指示部材７を用いてコンクリートの打設面を仕上げる方法を詳細に説明する。
先ず、図４のように地盤上において横ピッチＰ１＝２５００ｍｍ、縦ピッチＰ２＝１８００ｍｍで示される天端設定装置１の設置位置に角杭６（図２）を打ち込む。
【００２８】
次に、前述の要領で天端設定装置１を組立てる。つまり、まず、打ち込んだ角杭６に支持台５を固定ボルト６ｂとワッシャ６ｃを用いて固定する。
次に、保持部材２を上端に備えた円筒部材４の雄ネジ部４ａを支持台５の雌ネジ部５ｂに螺合させ、図２に示す天端設定装置１を組立てる。
【００２９】
次に、組立てたそれぞれの天端設定装置１に、図５に示すように、レーザー受光器８を設置し、コンクリート仕上げ面（天端）を指示する水平方向のレーザービームＬＢを各レーザー受光器８に照射する。
【００３０】
作業者はフランジ４ｂを回転させてレーザー受光器８がレーザービームを丁度受光する位置にレーザー受光器８の高さ、すなわち保持部材２の高さを設定する。なお、レーザー受光器８およびレーザ発光器は市販のものを利用可能である。
【００３１】
図４に示す天端設定装置１のそれぞれの保持部材２の高さの設定が終了すると、図６および図７に示すように、縦方向に隣接する一対の天端設定装置１の間に図３に示す天端指示部材７を懸け渡し、両端の長孔７ａにそれぞれ固定ビス２ｂ（図１）を挿入して各保持部材２に天端指示部材７の端部を保持させる。
【００３２】
これによって図６、図７に示す天端指示部材７はコンクリート仕上げ面（天端）を指示することになる。
【００３３】
次に、図８に示すように天端指示部材７が隠れるまで地盤に生コンクリートを供給する。
次に、作業者は、図９，図１０に示すように、平行に対向する２つの天端指示部材７に均し用具（トンボ）１１の均し板（長さ３ｍ）１１ａを直交する方向に渡し、均し板１１ａの中央に直角に設けられた把手１１ｂを矢印の方向に向って引っ張る。
【００３４】
それによって、均し板１１ａは天端指示部材７上を摺動するので、生コンクリート１０は天端指示部材７の指示する高さに一様に均され、打設されたコンクリート表面が精度よく均一に仕上げられる。
なお、この実施形態では図５に示すように各レーザー受光器８に水平方向のレーザービームＬＢを照射してコンクリート仕上げ面が水平になるようにしたが、水平方向に対して、例えば、０．５〜１度の角度だけ傾斜したレーザービームを用いれば、天端指示部材７は水平に対してその角度で傾斜するように設定される。
【００３５】
従って、生コンクリート１０の表面はその傾斜を有するように仕上げられることになる。これは、例えば水はけ用の勾配を必要とするビルの屋上や食品工場の床面などのコンクリート打設面の仕上げにきわめて有効である。
【００３６】
また、図４に示すように地盤に角杭６（図２）を打ち込むときに、地盤が固すぎて打ち込めない場合や柔らかすぎて安定しない場合には、予め地盤に適当な大きさの穴を穿設し、その穴にモルタルを注入した上で角杭６を押し込んで固定するようにしてもよい。この場合には、角杭６の代りに杭の形状ではない他の形状の部材を用いることができる。
【００３７】
また、天端指示部材７は図３に示すように多数の丸孔７ｂを有するが、これは天端指示部材７によって分離される生コンクリート１０を丸孔７ｂを介して結合させるためである。
従って、コンクリートの打設表面に溝を形成して表面割れを防止することが必要なときには、溝を形成する代りに、丸孔７ｂを有しない天端指示部材７を用いれば、そのような表面割れが防止される。
【００３８】
なお、図９，図１０に示す均し用具（トンボ）１１の均し板１１ａにバイブレータ（振動装置）を搭載し、均し板１１ａにコンクリートの打設表面に対して直交する方向に数十〜数百Ｈｚの微振動を与えることにより、均し板１１ａをさらに小さい引っぱり力で、円滑に天端指示部材７上で摺動させることができる。
【符号の説明】
【００３９】
１  天端設定装置
２  保持部材
２ａ  保持溝
２ｂ  固定ビス
２ｃ  円周溝
２ｄ  抜け止めビス
３  調整部材
４  円筒部材
４ａ  雄ネジ部
４ｂ  フランジ
５  支持台
５ａ  穴
５ｂ  雌ネジ部
６  角杭
６ａ  ネジ穴
６ｂ  固定ボルト
６ｃ  ワッシャ
７  天端指示部材
７ａ  長孔
７ｂ  丸孔
８  レーザー受光器
９  地盤
１０  生コンクリート
ＬＢ  レーザービーム
１１  トンボ
１１ａ  均し板
１１ｂ  把手
【図１】
2016132919.tif 000003
【図２】
2016132919.tif 000004
【図３】
2016132919.tif 000005
【図４】
2016132919.tif 000006
【図５】
2016132919.tif 000007
【図６】
2016132919.tif 000008
【図７】
2016132919.tif 000009
【図８】
2016132919.tif 000010
【図９】
2016132919.tif 000011
【図１０】
2016132919.tif 000012